(57)【要約】【課題】セルフ精算に際して所望の硬貨を硬貨投入口に容易に投入すること、及び残った硬貨を容易に取り出すことが可能な硬貨載置部を提供する。【解決手段】硬貨貨載置部２００は、２つの垂直の壁面２１１と、前記２つの壁面間に、前記壁面に対して直交する方向に延びる樋状の凹部による凹面２１２と、を有する硬貨展開部２１０、硬貨投入口を有する硬貨投入部２３０、及び硬貨展開部２１０と硬貨投入部２３０の間にこれらを区画するように設けられている稜線部２２０を備える。硬貨展開部２１０、稜線部２２０、及び硬貨投入部２３０は、同一の幅で奥側に進む方向に連続している。【選択図】図４
2018147473.tif 000002
【特許請求の範囲】
【請求項１】
金銭処理機用の硬貨載置部であって、２つの垂直の壁面と、前記２つの壁面間に、前記壁面に対して直交する方向に延びる樋状の凹部による凹面と、を有する硬貨展開部、硬貨投入口を有する硬貨投入部、及び前記硬貨展開部と前記硬貨投入部の間にこれらを区画するように設けられている稜線部を備え、前記硬貨展開部、前記稜線部、及び前記硬貨投入部は、同一の幅で奥側に進む方向に連続している硬貨載置部。
【請求項２】
請求項１において、前記硬貨展開部の上端部の最高点と前記硬貨投入部の上端部の最高点とは連続しており、前記硬貨展開部の上端部の最高点の高さと前記硬貨投入部の上端部の最高点の高さとは等しく、前記硬貨展開部の凹面に連続する前記稜線部の高さは、前記硬貨展開部の上端部の最高点の高さ及び前記硬貨投入部の上端部の最高点の高さよりも低い硬貨載置部。
【請求項３】
請求項１又は２において、前記硬貨展開部の前記稜線部と連続する側ではない端部に、前記硬貨展開部から段差無しで前記奥側と反対側に向かって離れる方向に延びる、板状の延在部を備え、
前記延在部は、その前端が、正面から見た場合に、中心から遠くなるにつれて、延在長が短くなる曲線を呈する形状である硬貨載置部。
【請求項４】
請求項１乃至３のいずれか一項において、前記硬貨投入部は、その上端部に設けられた略四角形の硬貨投入部入口と、下端部に設けられ、前記硬貨投入部入口より小さな前記硬貨投入口と、前記硬貨投入部入口から前記硬貨投入口まで連続する傾斜面を有している硬貨載置部。
【請求項５】
請求項４において、前記傾斜面のうち奥行方向の奥部を形成している面を、前記傾斜面の他の部分を形成している面より傾斜角度を小さくし、この面の上部に、傾斜に沿うように１つ以上のリブを形成した硬貨載置部。
【請求項６】
請求項１乃至５のいずれか一項において、前記垂直の壁面と前記凹部を形成している凹面との境を、アールを付けた曲面とした硬貨載置部。
【請求項７】
請求項１乃至６のいずれか一項において、前記硬貨投入口は略楕円形の形状であり、その両側の対向する略半円状の曲線と、前記略半円状の２つの曲線の間の２つの線分のうちの少なくとも一方の線分の中央部が外側に膨らんだ曲線とを持つ形状である硬貨載置部。
【請求項８】
請求項１乃至７のいずれか一項に記載の硬貨載置部を備えるセルフ精算装置。
【発明の詳細な説明】
【技術分野】
【０００１】
本発明は、金銭処理機用の硬貨載置部及びこれを備えたセルフ精算装置に関する。
【背景技術】
【０００２】
スーパーマーケット等の店舗に設置されるＰＯＳ（Point  of  Sales）システムの一例として、ＰＯＳ端末装置とセルフ精算装置とを備え、店員がＰＯＳ端末装置によって顧客が購入しようとする商品の商品登録を行い、商品登録終了後に、顧客がセルフ精算装置によって精算を行う形態のものがある。セルフ精算装置は、紙幣投入口と硬貨投入口を備える。顧客は、セルフ精算装置において現金で精算する場合、紙幣は紙幣投入口に投入し、硬貨は硬貨投入口に投入する。
【０００３】
セルフ精算において、顧客の中には、硬貨を硬貨投入口に投入する際に、財布の中の硬貨を必要額以上取り出して硬貨載置部に広げ、その中から所望の硬貨を選んで硬貨投入口に投入し、残った硬貨を硬貨載置部から財布の中に戻す顧客が存在する。
【０００４】
このような顧客に対しては、残った硬貨を硬貨載置部から財布の中に戻す際の作業をできるだけ容易にすることが、精算行為の容易化、精算時間の短縮という点でサービス向上につながる。それだけでなく、精算時間の短縮により次の精算待ちの顧客に対する待ち時間の短縮というサービス向上にもつながる。
【先行技術文献】
【特許文献】
【０００５】
【特許文献１】特許第６０２６６９４号公報
【発明の概要】
【発明が解決しようとする課題】
【０００６】
ところで、上記のＰＯＳシステムに類似するシステムとして、特許文献１には、顧客自身（店員の場合もある）による商品登録の後、顧客による決済処理に適用する決済装置が開示されている。この決済装置も金銭（特に硬貨）載置部を備え、財布の中の硬貨を取り出して金銭載置部に広げ、所望の硬貨を硬貨投入口に投入することができる。
【０００７】
しかしながら、この決済装置においては、決済終了後に、残った硬貨を金銭載置部から取り上げて財布の中に戻すことを容易にすることについては、配慮していない。
【０００８】
そこで、本発明の課題は、セルフ精算に際して所望の硬貨を硬貨投入口に容易に投入すること、及び残った硬貨を容易に取り出すことが可能な硬貨載置部を提供することにある。
【０００９】
本発明はまた、上記の硬貨載置部を備えたセルフ精算装置を提供しようとするものである。
【課題を解決するための手段】
【００１０】
本発明の一態様によれば、金銭処理機用の硬貨載置部であって、２つの垂直の壁面と、前記２つの壁面間に、前記壁面に対して直交する方向に延びる樋状の凹部による凹面と、を有する硬貨展開部、硬貨投入口を有する硬貨投入部、及び前記硬貨展開部と前記硬貨投入部の間にこれらを区画するように設けられている稜線部を備え、前記硬貨展開部、前記稜線部、及び前記硬貨投入部は、同一の幅で奥側に進む方向に連続している硬貨載置部が提供される。
【発明の効果】
【００１１】
本発明によれば、所望の硬貨を硬貨投入口に容易に投入すること、及び残った硬貨を容易に取り出すことが可能な硬貨載置部及びこれを備えるセルフ精算装置を提供することができる。
【図面の簡単な説明】
【００１２】
【図１】（ａ）、（ｂ）は、本発明の実施形態に係るセルフ精算装置の斜視図、正面図である。
【図２】（ａ）、（ｂ）、（ｃ）は、図１のセルフ精算装置の上面図、正面図、右側面図である。
【図３】（ａ）、（ｂ）は、図２（ａ）の上面図における硬貨載置部の拡大図、図２（ｃ）の右側面図における硬貨載置部の拡大図である。
【図４】図３（ａ）の硬貨載置部単体の斜視図である。
【図５】（ａ）〜（ｆ）は、図４の硬貨載置部単体の背面図（但し、上下を逆にしてある）、上面図、正面図、左側面図、右側面図、及び下面図である。
【図６】（ａ）、（ｂ）、（ｃ）は、図５（ｂ）の右側方から見たＡ−Ａ線縦断面図、図５（ｅ）の下方から見たＢ−Ｂ線横断面図、図５（ｅ）の下方から見たＣ−Ｃ線横断面図である。
【図７】（ａ）、（ｂ）、（ｃ）は、図４の硬貨投入部に投入された硬貨が硬貨投入口にガイドされる様子を示す図である。
【発明を実施するための形態】
【００１３】
図１〜図７を参照して、本発明の実施形態について説明する。
【００１４】
図１（ａ）、（ｂ）は、本発明の実施形態によるセルフ精算装置の斜視図、正面図である。図２（ａ）、（ｂ）、（ｃ）は、図１のセルフ精算装置の上面図、正面図、右側面図であり、図３（ａ）、（ｂ）は、図２（ａ）の上面図における硬貨載置部の拡大図、図２（ｃ）の右側面図における硬貨載置部の拡大図である。なお、以下に説明するセルフ精算装置は一例にすぎず、本発明が以下のセルフ精算装置に限定されるものでないことは言うまでも無い。以下の説明では、セルフ精算装置を正面から見た場合の左右方向を幅方向、前後方向を奥行方向と呼ぶことがある。図１（ａ）に幅方向、奥行方向をそれぞれ、矢印Ｗ、Ｄで示す。
【００１５】
本発明の実施形態によるセルフ精算装置は、店員がＰＯＳ端末装置（図示省略）によって、顧客が購入しようとする商品の商品登録を行い、商品登録終了後、顧客がその精算を行うときに使用する装置である。セルフ精算装置は、制御部（図示省略）、通信部（図示省略）を有し、ＰＯＳ端末装置と有線で通信を行って、店員によって登録された商品登録データをＰＯＳ端末装置から受信する。なお、セルフ精算装置は、ＰＯＳ端末装置と無線で通信を行ってもよい。
【００１６】
セルフ精算装置は、その筐体内に、紙幣と硬貨を個別に受け付けて、必要に応じて釣銭を払い出す釣銭機、会員カードのバーコード、２次元コード等を読み取るコードリーダ、クレジットカード等のデータを読み取るカードリーダ、レシートを印刷して排出するレシートプリンタ、人を検知する人感センサ等を内蔵している。会員カードについては、コードリーダのみならず、会員カードの種類に応じて磁気カードリーダやＩＣカードリーダ等が内蔵される場合もある。
【００１７】
図１（ａ）、（ｂ）を参照して、セルフ精算装置１００の外観について説明する。セルフ精算装置１００の筐体１１０の上部にはタッチパネル付きディスプレイ１２０が設けられ、筐体１１０の天面にはパトランプ（警告灯）１２５が設けられている。また、筐体１１０の左側面にはバーコードリーダ載置部１３０が設けられて、ハンディタイプのバーコードリーダ１３５が懸けられている。更に、筐体１１０の下部には台座１１５が設けられている。セルフ精算装置１００は、モードを切り替えて、顧客が、商品登録から精算までを行うセルフＰＯＳ端末装置としても使用可能である。バーコードリーダ１３５は、セルフ精算装置１００をセルフＰＯＳ端末装置として使用する際に用いられる。セルフ精算装置１００を、セルフ精算装置としてのみ使用する場合は、バーコードリーダ１３５及びバーコードリーダ載置部１３０は備える必要はない。
【００１８】
セルフ精算装置１００の正面側には、固定タイプのバーコード読取口１４０、スピーカ音出力孔１４５、クレジットカード等のカード投入口１５０、紙幣投入口１５５、紙幣払出口１６０、レシート排出口１６５、人感センサ１７０、硬貨払出口１７５、不良硬貨返却口１８０の他、本発明の要部となる硬貨載置部２００が設けられている。カード投入口１５０、紙幣払出口１６０、レシート排出口１６５、硬貨払出口１７５、不良硬貨返却口１８０、及び硬貨載置部２００の近傍にはそれぞれ、セルフ精算装置１００における精算処理の進捗状況に応じて、点灯、もしくは点滅し、滅灯するＬＥＤランプ１８５が設けられている。
【００１９】
なお、以降で説明される硬貨載置部２００以外の上記各要素については、本発明の要旨ではないので、詳しい説明は省略する。また、セルフ精算装置１００の一連の精算操作形態も、硬貨載置部２００まわり以外は既存の装置における操作形態と変わらないので詳しい説明は省略する。
【００２０】
図４は、本発明によるセルフ精算装置１００の要部となり得る硬貨載置部２００の斜視図であり、図５（ａ）〜（ｆ）は、図４の硬貨載置部２００単体の背面図、上面図、正面図、左側面図、右側面図、及び下面図である。但し、背面図である図５（ａ）は、下面側が上になるように上下逆にして示している。
【００２１】
図６（ａ）、（ｂ）、（ｃ）は、図５（ｂ）の右側方から見たＡ−Ａ線縦断面図、図５（ｅ）の下方から見たＢ−Ｂ線横断面図、及び図５（ｅ）の下方から見たＣ−Ｃ線横断面図である。
【００２２】
図７（ａ）、（ｂ）、（ｃ）は、硬貨載置部２００の硬貨投入部に投入された硬貨が硬貨投入口にガイドされる様子を示す図である。
【００２３】
図４を参照すると、硬貨載置部２００は、硬貨展開部２１０、稜線部２２０、硬貨投入部２３０、及び延在部２４０を有している。延在部２４０は、図６（ａ）からも理解できるように、硬貨展開部２１０の前方側の端部に境目となるような段差無しで連なり、硬貨展開部２１０から離れる方向（本実施形態では奥側と反対側に向かう方向、すなわち前方）に延在している。延在部２４０は特に、板状であって、その前端が、正面から見た場合に、中心から遠くなるにつれて、延在長が短くなるような曲線を呈する形状となっている。その理由については後述する。
【００２４】
硬貨展開部２１０は、幅方向の両側にあって互いに対向し合う２つの垂直の壁面２１１と、これら２つの壁面２１１の間にあって壁面に対して直交する方向、つまり幅方向に延びる浅い樋状の凹部による凹面２１２を有している。壁面２１１と凹面２１２との境は、９０度の交差角度では無く、アールが付けられて、曲面２１３となっている。凹面２１２、曲面２１３の使用目的も後述されるが、簡単に言えば凹面２１２上にある硬貨の取り出しを容易にするためである。凹面２１２については、具体的には、十数枚以上の硬貨を置くことができるスペースと、凹面２１２とそこに置かれた硬貨との間に隙間ができるような曲率を有していることが望ましい。
【００２５】
稜線部２２０は、硬貨展開部２１０と硬貨投入部２３０の間に、幅方向の全幅に亘るように設けられて、硬貨展開部２１０と硬貨投入部２３０を区画している。特に、図６（ａ）から理解できるように、硬貨展開部２１０の上端部の最高点Ｐ２１０と硬貨投入部２３０の上端部の最高点Ｐ２３０とは連続し、かつ硬貨展開部２１０の上端部の最高点Ｐ２１０の高さと硬貨投入部２３０の上端部の最高点Ｐ２３０の高さは等しい。また、硬貨展開部２１０の凹面２１２の奥部側端部に連続する稜線部２２０の最高点Ｐ２２０の高さは、硬貨展開部２１０の上端部の最高点Ｐ２１０の高さ及び硬貨投入部２３０の上端部の最高点Ｐ２３０の高さよりも低い。
【００２６】
硬貨投入部２３０は、その上部に形成された略四角形の硬貨投入部入口２３１と、下端部に形成された硬貨投入口２３２（図３（ａ）、図６（ａ））と、略四角形の硬貨投入部入口２３１から硬貨投入口２３２まで連続する傾斜面２３３を有している。詳しく説明すると、硬貨投入口２３２は、図５（ｂ）、図６（ａ）から理解できるように、幅方向においては中心より片側寄り（ここでは左寄り）で、幅方向と直交する方向（奥行方向又は前後方向）においては稜線部２２０側寄り（前方寄り）に設けられている。しかし、硬貨投入口２３２は、幅方向において中心、あるいは中心より右寄りに設けられても良い。硬貨投入口２３２は、略楕円形の形状であり、両側の対向する略半円状の曲線と、略半円状の２つの曲線の間の２つの線分のうちの少なくとも一方（本実施形態では奥部側）の線分の中央部が外側（奥部側）に膨らんだ曲線とを持つ形状である。勿論、上記２つの線分の両方の中央部が外側（奥部側と前方側）に膨らんだ曲線を持つ形状であっても良い。硬貨投入口２３２はまた、幅方向、奥行方向（前後方向）のサイズが、いずれも最も大きな硬貨（日本では５００円硬貨）の直径、厚さよりも十分に大きな値に設定されている。
【００２７】
傾斜面２３３は、略四角形の硬貨投入部入口２３１から硬貨投入口２３２に向かう４つの面を持つ。これらの面は、硬貨投入部入口２３１から投入された硬貨が硬貨投入口２３２に落ち込むように、略四角形の硬貨投入部入口２３１から硬貨投入口２３２に向かって傾斜している。特に、４つの面のうち奥行方向の奥部側を形成している面は最も傾斜角度（水平面に対する傾斜面の角度）の小さい傾斜面２３３−１となっている。また、傾斜面２３３−１を間にして対向しあう２つの面の一方（ここでは右側）が傾斜面２３３−１より傾斜角度の大きな傾斜面２３３−２となっている。そして、残りの２つの面は傾斜面２３３−２より傾斜角度の大きな傾斜面となっている。更に、傾斜面２３３−１にはやや左寄りに３つのリブ２３５が設けられ、傾斜面２３−２には１つのリブ２３６が設けられている。これらのリブ２３５、２３６は、傾斜面の上部に傾斜に沿うように設けていることにより、傾斜面の上部において、硬貨と傾斜面との摩擦を少なくし、硬貨を下方に滑り易くするために設けられている。
【００２８】
なお、便宜上、傾斜面２３３を４つに分け、４つの傾斜面のうちの２つに参照番号を付して区別して説明したが、図５（ｂ）のＡ−Ａ線縦断面図である図６（ａ）、図５（ｅ）のＢ−Ｂ線横断面図である図６（ｂ）、及び図５（ｅ）のＣ−Ｃ線横断面図である図６（ｃ）に示すように、前述のリブ２３５、２３６を除いて、これらの傾斜面は、上下方向においても、平面方向においても、段差や境目のない、連続する曲面、いわば漏斗状の曲面となっている。また、図６（ｂ）と図６（ｃ）に示すように、傾斜面２３３の断面は、硬貨投入口２３２に近くなるに従って、硬貨投入口２３２の平面形状に近い形状となっている。硬貨投入部２３０の傾斜面２３３は、上述した形状であるので、例えば図７（ａ）に示すように、硬貨投入口２３２の右側に直交するように投入された硬貨３００は、図７（ｂ）に示すように、略半円形状の曲線の上方の丸味を帯びた傾斜面２３３−２を滑り落ちながら、図７（ｃ）に示すように、硬貨投入口２３２に平行に近い状態となり、硬貨投入口２３２に落ち込む。なお、図７では、１００円玉のサイズの図形を硬貨として図示している。
【００２９】
上述の通り、硬貨３００が、硬貨投入部２３０の硬貨投入口２３２の右側に直交するように投入されても、硬貨投入部２３０に滞留することはない。硬貨投入口２３２の左側に直交するように投入された硬貨についても、同様である。
【００３０】
硬貨載置部２００がセルフ精算装置１００に設けられた状態では、硬貨投入口２３２は、内蔵されている釣銭機の硬貨受付口（図示省略）の上部に位置しており、硬貨投入口２３２を通過した硬貨は、釣銭機に取り込まれる。硬貨載置部２００の延在部２４０、硬貨展開部２１０、及び硬貨投入部２３０の横幅は、日本人の成人男子の標準の手の甲が優に収まる程度のサイズである。
【００３１】
次に、顧客が、財布の中の硬貨をセルフ精算装置１００の硬貨展開部２１０に広げ、所望の硬貨を投入し終えた後、残った硬貨を硬貨展開部２１０から取り出して財布の中に戻すまでの動作について説明する。
【００３２】
１）顧客は、財布の中から必要額以上の硬貨を取り出して硬貨載置部２００の硬貨展開部２１０に広げる。
【００３３】
２）顧客は、硬貨展開部２１０上の所望の硬貨を、硬貨展開部２１０の樋状の凹面２１２及び稜線部２２０を滑らせて、硬貨投入部２３０に投入する。これは、図６（ａ）から明らかなように、稜線部２２０が硬貨展開部２１０の凹面２１２の奥部側端部及び硬貨投入部２３０の硬貨投入部入口２３１の前方側端部に境目となるような段差無しで連なっていることで容易に行うことができる。前述したように、硬貨展開部２１０の凹面２１２の奥部側端部に連続する稜線部２２０の最高点Ｐ２２０の高さは、硬貨展開部２１０の上端部の最高点Ｐ２１０の高さ及び硬貨投入部２３０の上端部の最高点Ｐ２３０の高さよりも低い。従って、硬貨を硬貨展開部２１０から硬貨投入部入口２３１へ移動させる際に、硬貨が、硬貨載置部２００から外にこぼれてしまうおそれはない。硬貨投入部入口２３１へ投入された硬貨は、傾斜面を滑り落ちて硬貨投入口２３２に落ち込む。硬貨投入口２３２を通過した硬貨は、釣銭機（図示省略）に取り込まれる。
【００３４】
３）顧客は、硬貨展開部２１０に残った硬貨を、片手の複数の指で、左側（もしくは右側）壁面２１１に寄せ、左側（もしくは右側）壁面２１１と凹面２１２に沿って掴みつつ、上に引き上げ、取り出す。
【００３５】
あるいは、顧客は、片手の指で、硬貨を硬貨展開部２１０の中央に寄せ、片手の複数の指で硬貨展開部２１０の凹面２１２に沿って掴みつつ、上に引き上げ、取り出す。その際、凹面２１２と硬貨の間に隙間ができているので、指でつまみやすい。
【００３６】
または、顧客は、延在部２４０の下に、片方の手のひらを上に向けて、延在部２４０を越えた硬貨が手からこぼれ落ちないように手指を当て、他方の手指で硬貨展開部２１０の凹面２１２に沿って硬貨を滑らせ、延在部２４０を経由させて片方の手のひらに載せる。これは、延在部２４０が硬貨展開部２１０の凹面２１２の前方側端部に境目となるような段差無しで連なっていることで容易に行うことができる。そして、このような作業は、通常、延在部２４０の中心に近いところで行われる。これが、延在部２４０の中心に近い部分の延在長を大きくしている理由である。また、延在部２４０は、両端にアールが付けられて、中心に近い部分の延在長が大きい形状、即ち、大きなアールの形状であるので、顧客の手指の動作の障害となりにくい形状でもある。
【００３７】
４）その後、硬貨を財布の中に戻す。
【００３８】
本発明によるセルフ精算装置の硬貨載置部は、上述した構造であるので、顧客は、所望の硬貨を容易に硬貨投入口２３２に投入し、残った硬貨を容易に取り出して財布の中に戻すことができる。
【００３９】
なお、延在部２４０は、場合によっては省略されても良い。
【００４０】
上述の実施形態では、店員がＰＯＳ端末装置によって顧客が購入しようとする商品の商品登録を行い、商品登録終了後に、顧客が精算を行うセルフ精算装置について説明したが、図１の説明で記載したように、セルフ精算装置は、顧客が、商品登録から精算までを行うセルフＰＯＳ端末装置であってもよい。
【産業上の利用可能性】
【００４１】
本発明による硬貨載置部は、金銭処理機全般、すなわち上述したようなセルフ精算装置やセルフＰＯＳ端末装置以外の金銭処理機（釣銭機、自動販売機等）にも適用可能である。
【符号の説明】
【００４２】
１００    セルフ精算装置
１１０    筐体
１１５    台座
１２０    タッチパネル付ディスプレイ
１２５    パトランプ
１３０    バーコードリーダ載置部
１３５    バーコードリーダ
１４０    バーコード読取口
１４５    スピーカ音出力孔
１５０    カード投入口
１５５    紙幣投入口
１６０    紙幣払出口
１６５    レシート排出口
１７０    人感センサ
１７５    硬貨払出口
１８０    不良硬貨返却口
１８５    ＬＥＤランプ
２００    硬貨載置部
２１０    硬貨展開部
２１１    壁面
２１２    凹面
２１３    曲面
２２０    稜線部
２３０    硬貨投入部
２３１    硬貨投入部入口
２３２    硬貨投入口
２３３    傾斜面
【図１】
2018147473.tif 000003
【図２】
2018147473.tif 000004
【図３】
2018147473.tif 000005
【図４】
2018147473.tif 000006
【図５】
2018147473.tif 000007
【図６】
2018147473.tif 000008
【図７】
2018147473.tif 000009
【手続補正書】
【提出日】平成30年6月26日(2018.6.26)
【手続補正１】
【補正対象書類名】特許請求の範囲
【補正対象項目名】請求項１
【補正方法】変更
【補正の内容】
【請求項１】
金銭処理機用の硬貨載置部であって、２つの垂直の壁面と、前記２つの壁面間に、前記壁面に対して直交する方向に延びる樋状の凹部による凹面と、を有する硬貨展開部、硬貨投入口を有する硬貨投入部、及び前記硬貨展開部と前記硬貨投入部の間にこれらを区画するように設けられている稜線部を備え、前記硬貨展開部、前記稜線部、及び前記硬貨投入部は、同一の幅で奥側に進む方向に連続し、
前記硬貨展開部の前記稜線部と連続する側ではない端部に、前記硬貨展開部から段差無しで前記奥側と反対側に向かって離れる方向に延びる、板状の延在部を備えている硬貨載置部。
【手続補正２】
【補正対象書類名】特許請求の範囲
【補正対象項目名】請求項３
【補正方法】変更
【補正の内容】
【請求項３】
請求項１又は２において、前記延在部は、その前端が、正面から見た場合に、中心から遠くなるにつれて、延在長が短くなる曲線を呈する形状である硬貨載置部。